(57)【特許請求の範囲】
【請求項１】
建築物における隣接する金属外装パネルの係合部に挾み込み支持する外側取付け金具と、前記建築物を構成する横胴縁に嵌着せしめる内側取付け金具と、前記２つの取付け金具を接続せしめる接続金具からなる金属外装パネル取付け金具であって、
前記外側取付け金具が、板状基板部の前方端部を折曲せしめて前記金属外装パネルの中、一方の金属外装パネルのポケット部と他方の金属外装パネルのハゼ部が係合して形成せしめられる係合部内に挾み込み可能な挾み込み部を延設せしめ、前記板状基板部の後方端部を前記挾み込み部と対向状に折曲せしめて前方接続部を形成せしめ、
前記内側取付け金具が、前記建築物を構成する断面四角形の横胴縁の３面と接触せしめ且前記横胴縁の上辺部を支える上辺固定部の前方端部を、上方向に折曲して前記外側取付け金具の前方接続部と対向する後方接続部を形成せしめ、前記後方接続部の左端部を前方向にして且直角状に折曲せしめて左辺補強部を、前記後方接続部の右端部を前方向にして且直角状に折曲せしめて右辺補強部を夫々形成せしめ、前記上辺固定部の前方端部を下方向へ直角状に折曲せしめて前側固定部を、且前記前側固定部の下方端部を内側方に直角状に折曲せしめて下辺固定部を形成せしめ、
前記外側取付け金具と前記内側取付け金具を、接続金具をもって接続せしめ、
前記外側取付け金具の挾み込み部が、前記板状基板部の前方端部を直角状に折曲せしめて第１挾み込み部を形成し、且前記挾み込み部の先端部を下方へ傾斜状に折曲する第２挾み込み部を形成せしめ、
前記外側取付け金具の挾み込み部が、前記前方接続部の先端部と、前記挾み込み部の先端部を、前記金属外装パネルの係合部への挾み込みが容易な間隙部が形成せしめられていることを特徴とする金属外装パネル取付け金具。
【請求項２】
前記外側取付け金具の前方接続部と、前記内側取付け金具の後方接続部に、夫々貫通孔が形成せしめられていることを特徴とする、請求項１に記載の金属外装パネル取付け金具。
【請求項３】
前記内側取付け金具が、左辺補強部の長さが前記外側取付け金具の板状基板部の長さより短く、且右辺補強部の長さが、前記左辺補強部の長さより短く形成せしめられていることを特徴とする、請求項１又は２に記載の金属外装パネル取付け金具。
【発明の詳細な説明】
【技術分野】
【０００１】
本発明は、中層建築物の高さ方向に係合して伸長する多数枚の金属外装パネルと、該金属外装パネルの内側部位に取着せしめる横胴縁とを連接固定する金属外装パネル取付け金具の技術分野に関するものである。
【背景技術】
【０００２】
従来、中層建築物の金属外装パネルを取付け金具を使用して該建築物の胴縁へ取付け固定する中層建築物の金属外装パネルの取付け構造として、特許文献１（実開平６−５９５２０号公報）が開示されている。
【０００３】
前記特許文献１に係る中層建築物の金属外装パネルの取付け構造は、構成部材として２つの内側取付け金具４２と外側取付け金具４０によって構成されており、その中、図３に図示されているように、ポケット部１２のくぼみ部３０に受け入れられる外端部４４と、ポケット空間２１を外側から抱き込むポケット空間抱き込み部４６を有する外側取付け金具４０と、別設する内側取付け金具４２と、これら２つの金具４０、４２を連結固定するボルト５４とからなる構造である。
【０００４】
また、特許文献１に記載の金属外装パネル取付け金具を構成する前記内側取付け金具４２は、第１に建築物の断面四角形の胴ぶちと少なくとも３面の外側辺に接触する胴ぶち固定部５２を有し、第２に金属外装パネル１０の基部２２に平行して延びている本体部５０からなっている構成である。
【０００５】
そして、前記開示の中層建築物の金属外装パネル取付け構造は、前記外側取付け金具４０と前記内側取付け金具４２がボルト５４で締められている構造である。
【先行技術文献】
【特許文献】
【０００６】
【特許文献１】実開平６−５９５２０号公報
【発明の概要】
【発明が解決しようとする課題】
【０００７】
本発明が解決しようとする課題は以下のとおりである。
【０００８】
本発明は、中層建築物の金属外装パネルの取付け金具の構成を外側取付け金具と内側取付け金具とし、前記外側取付け金具が中層建築物の高さ方向に係合して伸長する多数枚の金属外装パネルの係合部分を、挾み込み支持せしめる作業工程が極めて簡単且挾み込みやすい構造に形成せしめられていると共に、各辺を内側方に四辺形状に折曲せしめ、そのため前記隣接する２枚の金属外装パネルの係合部と、前記隣接係合せしめる多数枚の金属外装パネルの内側に配設の横胴縁との連接固定を、長期間にわたり強固に確保せしめると云う課題を解決した。
【０００９】
さらに、本発明は、前記外側取付け金具と接続する内側取付け金具の構造を、前記横胴縁の上辺部を支える上辺固定部の前方端部を上方に折曲せしめ形成した後方接続部の左右両側端部に、夫々前方向に且直角状に折曲せしめて左辺補強部と右辺補強部を夫々形成せしめ、前記外側取付け金具が、前記隣接する２枚の金属外装パネルの係合部に挾み込み支持した際に、該外側取付け金具の挾み込み状態を強固に保持し、さらに左右への揺動を確実に防止し、前記金属外装パネルと横胴縁を、強固な固定を長期間確保せしめるとして課題を解決した。
【課題を解決するための手段】
【００１０】
課題を解決するための手段として、請求項１に記載の発明は、建築物Ｋにおける隣接する金属外装パネルＰ、Ｐの係合部２２に挾み込み支持する外側取付け金具ａと、前記建築物Ｋを構成する横胴縁ｄに嵌着せしめる内側取付け金具ｂと、前記２つの取付け金具ａ、ｂを接続せしめる接続金具ｃからなる金属外装パネル取付け金具Ａであって、
前記外側取付け金具ａが、板状基板部１の前方端部２を折曲せしめて前記金属外装パネルＰ、Ｐの中、一方の金属外装パネルＰのポケット部２１と他方の金属外装パネルＰのハゼ部２３が係合して形成せしめられる係合部２２内に挾み込み可能な挾み込み部３を延設せしめ、前記板状基板部１の後方端部４を前記挾み込み部３と対向状に折曲せしめて前方接続部５を形成せしめ、
前記内側取付け金具ｂが、前記建築物Ｋを構成する断面四角形の横胴縁ｄの３面と接触せしめ且前記横胴縁ｄの上辺部２６を支える上辺固定部６の前方端部７を、上方向に折曲して前記外側取付け金具ａの前方接続部５と対向する後方接続部８を形成せしめ、前記後方接続部８の左端部９を前方向にして且直角状に折曲せしめて左辺補強部１０を、前記後方接続部８の右端部１１を前方向にして且直角状に折曲せしめて右辺補強部１２を夫々形成せしめ、前記上辺固定部６の前方端部１３を下方向へ直角状に折曲せしめて前側固定部１４を、且前記前側固定部１４の下方端部１５を内側方に直角状に折曲せしめて下辺固定部１６を形成せしめ、
前記外側取付け金具ａと前記内側取付け金具ｂを、接続金具ｃをもって接続せしめ、
前記外側取付け金具ａの挾み込み部３が、前記板状基板部１の前方端部２を直角状に折曲せしめて第１挾み込み部３ａを形成し、且前記挾み込み部３の先端部を下方へ傾斜状に折曲する第２挾み込み部３ｂを形成せしめ、
前記外側取付け金具ａの挾み込み部３が、前記前方接続部５の先端部５ａと、前記挾み込み部３の先端部３ｃを、前記金属外装パネルＰ、Ｐの係合部２２への挾み込みが容易な間隙部３ｄが形成せしめられていることを特徴とする金属外装パネル取付け金具である。
【００１１】
請求項２に記載の発明は、前記外側取付け金具ａの前方接続部５と、前記内側取付け金具ｂの後方接続部８に、夫々貫通孔５ｂ、８ａが形成せしめられていることを特徴とする、請求項１に記載の金属外装パネル取付け金具である。
【００１２】
請求項３に記載の発明は、前記内側取付け金具ｂが、左辺補強部１０の長さが前記外側取付け金具ａの板状基板部１の長さより短く、且右辺補強部１２の長さが、前記左辺補強部１０の長さより短く形成せしめられていることを特徴とする、請求項１又は２に記載の金属外装パネル取付け金具である。
【発明の効果】
【００１３】
本発明は、上述のとおりであって、殊に本発明を構成する外側取付け金具によって建築物における隣接する金属外装パネルの係合部に、板状基板部の前方端部に折曲して形成の挾み込み部が、確実に挿し込まれ、前記外側取付け金具と接続金具によって強固に接続されている内側取付け金具の後方接続金具の左右両側溝部より折曲延設する左辺補強部と右辺補強部が、前記外側取付け金具の板状基板部の外側面と前方接続部の端部を外側方より抱え込んで、前記外側取付け金具の揺動を確実に阻止することができる利点がある。
【００１４】
さらに、本発明の金属外装パネル取付け金具は、前記金属外装パネルと、前記金属外装パネルの内側方に位置する四角形状の横胴縁との連接固定を強固にし、中層建築物の寿命を延命できる優れた利点を有している。
【００１５】
本発明は、また前記外側取付け金具の構造において、挾み込み部の先端部と前方接続部の先端部との間に間隙部を形成せしめることによって、内側取付け部と接続状態にある前記外側取付け部が、前記のように隣接し合う両金属外装パネルの係合部内への挾み込み作業を極めて簡単にして、且確実に取付け施工ができる利点がある。
【図面の簡単な説明】
【００１６】
【図１】本発明の金属外装パネル取付け金具が金属外装パネルと横胴縁を接続固定して使用されている状態を示す一部切欠斜視図である。
【００１７】
【図２】図１の金属外装パネル取付け金具の使用様態を平面視した状態の一部切欠平面図である。
【００１８】
【図３】同金属外装パネル取付け金具の使用状態を側面よりみた状態の左側面図である。
【００１９】
【図４】同金属外装パネル取付け金具が金属外装パネルと横胴縁に接続固定されている状態の一部切欠平面図である。
【００２０】
【図５】同金属外装パネルの係合状態を示す一部切欠拡大平面図である。
【００２１】
【図６】同外側取付け金具の平面図である。
【００２２】
【図７】同外側取付け金具の正面図である。
【００２３】
【図８】同内側取付け金具の左側面図である。
【００２４】
【図９】同図８の内側取付け金具の平面図である。
【００２５】
【図１０】同接続金具を構成するボルトである。
【発明を実施するための最良の形態】
【００２６】
本発明の請求項１〜３までの発明に関する発明の実施の形態は共通しているので、以下のとおり一括して説明する。
【００２７】
図において、Ｋは立体駐車場、資材置場、スーパーマーケットその他の中層建築物である。
【００２８】
Ｐは前記中層建築物を構成する金属外装パネルであって、該金属外装パネルＰは、本体部の一端部にポケット部２１が形成され、他端部にハゼ部２３が形成されている。
【００２９】
さらに前記金属外装パネルＰの構成について説明すると、前記金属外装パネルＰの本体部の一端部に形成せしめられたポケット部２１は、先端部を傾斜状に折り込んで第１傾斜状部２１ａを、さらに前記第１傾斜状部２１ａの先端部を若干折曲せしめ第２傾斜状部２１ｂを、さらに前記第２傾斜状部２１ｂの先端部を上方に折曲せしめて第３傾斜状部２１ｃを形成せしめる。
【００３０】
つぎに前記金属外装パネルＰの本体部の他端部に形成せしめられたハゼ部２３について説明する。
【００３１】
該ハゼ部２３は、前記金属外装パネルＰの本体部の他端部を下方に折曲せしめて第１傾斜状部２３ａを、さらに前記第１傾斜状部２３ａの先端部を内側方にして且上方へ折曲して上方折曲部２３ｂを、前記上方折曲部２３ｂの先端部を下方へ折曲せしめ第２傾斜状部２３ｃを、前記第２傾斜状部２３ｃの先端部を折曲せしめて差込み部２４を夫々形成せしめる。
【００３２】
以上が本発明において施工される金属外装パネルＰであり、前記金属外装パネルＰを嵌合せしめるときは、図１、２、４、５に図示するように、前記中層建築物Ｋとして、例えば立体駐車場として施工するとき、該駐車場の高さ方向に隣接せしめながら伸長する前記金属外装パネルＰ、Ｐの両側部に形成せしめられたポケット部２１とハゼ部２３を相互に嵌合させる（図２、４、５）。
【００３３】
前記のようにして金属外装パネルＰ、Ｐの両側部のポケット部２１とハゼ部２３が嵌合せしめ形成された部位を本発明においては係合部２２とする。
【００３４】
図において、Ａは本発明の金属外装パネル取付け金具であって、外側取付け金具ａと内側取付け金具ｂと接続金具ｃから構成されている。以下各構成部材に関する実施例について夫々説明する。
【００３５】
＜外側取付け金具ａに関する実施例＞
本発明の外側取付け金具ａは、図２、３、４、６、７等に図示されているように、板状基板部１の前方端部２を直角状に折曲せしめて所定の長さの第１挾み込み部３ａを形成し、前記第１挾み込み部３ａの先端部を下方へ傾斜状に折曲せしめて第２挾み込み部３ｂを形成せしめる。３ｃは前記第２挾み込み部３ｂの先端部である。
【００３６】
つぎに前記板状基板部１の後方端部４を直角状に折曲せしめて前記第１挾み込み部３ａと対向状にして且平行状に折曲せしめて前方接続部５を形成せしめる。５ａは前記前方接続部５の先端部である。５ｂは前記前方接続部５に形成の貫通孔である。
【００３７】
さらに前記外側取付け金具ａは、前記第２挾み込み部３ｂの先端部３ｃと、前記前方接続部５の先端部５ａとの間には、両パネルＰ、Ｐの係合部２２に挾み込みが容易な間隙部３ｄが形成されている。
【００３８】
以上が外側取付け金具ａの構成である。
【００３９】
＜内側取付け金具ｂに関する実施例＞
内側取付け金具ｂに関する実施例を説明する。
【００４０】
前記内側取付け金具ｂは、前記外側取付け金具ａと横胴縁ｄを強固に連接固定せしめる機能を有している。
【００４１】
前記内側取付け金具ｂは、前記建築物Ｋを構成する断面四角形の横胴縁ｄの３面と接触せしめ且前記横胴縁ｄの上辺部２６を支える上辺固定部６の前方端部７を、上方向にして且直角状に折曲して前記外側取付け金具ａの前方接続部５と対向する後方接続部８を形成する。
【００４２】
さらに、前記後方接続部８の左端部９を前方向にして且直角状に折曲せしめて左辺補強部１０を、前記後方接続部８の右端部１１を前方向にして且直角状に折曲せしめて右辺補強部１２を形成する。その結果前記左右両辺補強部１０、１２が平行状に形成される（図８、９）。
【００４３】
つぎに、前記上辺固定部６の前方端部１３を下方向へ直角状に折曲せしめて前側固定部１４を、且前記前側固定部１４の下方端部１５を内側方に直角状に折曲せしめて下辺固定部１６を形成する。
【００４４】
前記内側取付け金具ｂは、左辺補強部１０の長さが前記外側取付け金具ａの板状基板部１の長さよりも短く、且右辺補強部１２の長さは、前記左辺補強部１０の長さよりも短く形成せしめられている。
【００４５】
そして前記内側取付け金具ｂの後方接続部８には、貫通孔８ａが形成されている。
【００４６】
＜接続金具ｃに関する実施例＞
接続金具ｃに関する実施例は以下のとおりである。
【００４７】
図において、ｃは前記外側取付け金具ａと前記内側取付け金具ｂを接続せしめる接続金具であって、以下の構成部材からなっている。
【００４８】
図において、１７は前記外側取付け金具ａの接続部５に形成の貫通孔５ｂと前記内側取付け金具ｂの後方接続部８に形成の貫通孔８ａに貫通せしめるボルトである。前記ボルト１７にはナット１８、ワッシャー１９が嵌挿し締め付ける。
【００４９】
図において、ｄは前記建築物Ｋを構成する横胴縁であって、前記建築物Ｋを構築せしめるときに使用される金属外装パネルＰ、Ｐの内側方に配設使用される。
【００５０】
＜本発明の金属外装パネル取付け金具Ａの施工に関する実施例＞
本発明の金属外装パネル取付け金具Ａの施工に関する実施例を説明すると以下のとおりである。
【００５１】
すなわち、本発明の金属外装パネル取付け金具Ａは、図１、２、３、４に図示するように、垂直状に並列し隣接する金属外装パネルＰ、Ｐの左右両端部に形成のポケット部２１とハゼ部２３を嵌合せしめて形成された係合部２２内に、前記接続金具ｃによって接続し、且緩められている一方の外側取付け金具ａを構成している挾み込み部３と前方接続部５との間に形成されている間隙部３ｄを、嵌合せしめられている金属外装パネルＰ、Ｐのポケット部２１とハゼ部２３の嵌合部位に挿入せしめながら、第２挾み込み部３ｂを係合部２２内に挿入する（図２、４）。
【００５２】
つぎに、他方の緩められている内側取付け金具ｂを、上辺固定部６を前記横胴縁ｄの上辺部２６に当接せしめ、前側固定部１４が前記横胴縁ｄの前辺部２７に、下辺固定部１６が前記横胴縁ｄの下辺部２８に当接し、前記内側取付け金具ｂが前記横胴縁ｄの３面を確実に抱き抱える。
【００５３】
前記作業が終了したら前記接続金具ｃであるナット１８を別設する締め付け工具（図面なし）によって締め付ければ、図２の図示状態から図１の図示状態に、前方接続部５と後方接続部８が対向して当該部位の金属外装パネル取付け金具Ａの取り付け作業は終了となる。
【００５４】
本発明の金属外装パネル取付け金具Ａは、前記金属外装パネルＰ、Ｐと横胴縁ｄに接続されると、前記内側取付け金具ｂに折曲形成されている左辺補強部１０と右辺補強部１２が、前記外側取付け金具ａの板状基板部１と前方接続部５の先端部５ａを外側方より抱き抱え状態になって組立てられている。
【００５５】
そのため、前記外側取付け金具ａの挾み込み部３が前記金属外装パネルＰ、Ｐの左右両端部に形成されている係合部２２とハゼ部２３が嵌合しあって形成せしめられている係合部２２内に確実に挿入し、前記建築物Ｋを構成する金属外装パネルＰ、Ｐと横胴縁ｄとの接続固定時において、前記外側取付け金具ａが揺動することなく、建築物Ｋを構築せしめている金属外装パネルＰ、Ｐを長期間にわたり正常な状態を確保することができる。このような構造は、従来公開された公開実用新案公報には全く存しない。
【００５６】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００５７】
Ａ        金属外装パネル取付け金具
Ｋ        建築物
Ｐ        金属外装パネル
ａ        外側取付け金具
ｂ        内側取付け金具
ｃ        接続金具
ｄ        横胴縁
１        板状基板部
２        前方端部
３        挾み込み部
３ａ      第１挾み込み部
３ｂ      第２挾み込み部
３ｃ      先端部
３ｄ      間隙部
４        後方端部
５        前方接続部
５ａ      先端部
５ｂ      貫通孔
６        上辺固定部
７        前方端部
８        後方接続部
８ａ      貫通孔
９        左端部
１０      左辺補強部
１１      右端部
１２      右辺補強部
１３      前方端部
１４      前側固定部
１５      下方端部
１６      下辺固定部
１７      ボルト
１８      ナット
２１      ポケット部
２１ａ    第１傾斜状部
２１ｂ    第２傾斜状部
２１ｃ    第３傾斜状部
２２      係合部
２３      ハゼ部
２３ａ    第１傾斜状部
２３ｂ    上方折曲部
２３ｃ    第２傾斜状部
２４      差込み部
２６      上辺部
２７      前辺部
２８      下辺部
【図１】
0006893624.tif 000002
【図２】
0006893624.tif 000003
【図３】
0006893624.tif 000004
【図４】
0006893624.tif 000005
【図５】
0006893624.tif 000006
【図６】
0006893624.tif 000007
【図７】
0006893624.tif 000008
【図８】
0006893624.tif 000009
【図９】
0006893624.tif 000010
【図１０】
0006893624.tif 000011